(57)【要約】【課題】映像コンテンツの制作現場と異なる遠隔の地にて容易にプレビューできるようにしたコンテンツ制作システムを提供することである。【解決手段】編集システム（１０）とプレビューシステム（２０）とを有し、前記編集システム（１０）は、素材データ管理手段（１１）と、映像素材データを用いて映像コンテンツを編集し、編集リストを作成する編集機器（１２）と、前記編集リストを前記プレビューシステムに前記所定のネットワークを介して送信する編集リスト送信手段（１４）とを有し、前記プレビューシステム（２０）は、素材データ管理手段（２１）と、映像素材データを用いて前記編集システムから受信された編集リストに従って映像コンテンツを組み立てて、その映像コンテンツを出力機器に出力させるプレビュー制御手段（２２、２１）とを有するように構成したものである。【選択図】  図１
2004153763.tif 000002
【特許請求の範囲】
【請求項１】
所定のネットワークにて通信可能に接続された編集システムとプレビューシステムとを有し、
前記編集システムは、
映像素材データを格納し、管理する編集システム側素材データ管理手段と、
前記編集システム側素材データ管理手段にて管理される映像素材データを用いて原映像コンテンツを編集し、前記原映像コンテンツを構成すべき映像素材データの編集リストを作成する編集手段と、
前記編集手段にて作成された編集リストを前記プレビューシステムに前記所定のネットワークを介して送信する編集リスト送信手段とを有し、
前記プレビューシステムは、
映像素材データを格納し、管理するプレビューシステム側素材データ管理手段と、
前記プレビューシステム側素材データ管理手段にて管理される映像素材データを用いて前記編集システムから受信された編集リストに従ってプレビュー映像コンテンツを組み立てて、前記プレビュー映像コンテンツを出力手段に出力させるプレビュー制御手段とを有することを特徴とするコンテンツ制作システム。
【請求項２】
所定のネットワークにて通信可能に接続された編集システムとプレビューシステムとを有し、
前記編集システムは、
映像素材データを格納し、管理する編集システム側素材データ管理手段を備えた編集システム側ビデオサーバと、
前記編集システム側素材データ管理手段にて管理される映像素材データを用いて原映像コンテンツを編集し、前記原映像コンテンツを構成すべき映像素材データの編集リストを作成する編集手段と、
前記編集手段にて作成された編集リストを前記プレビューシステムに前記所定のネットワークを介して送信する編集リスト送信手段とを有し、
前記プレビューシステムは、
映像素材データを格納し、管理するプレビューシステム側素材データ管理手段と、編集リストを格納し、管理する編集リスト管理手段とを備えたプレビューシステム側ビデオサーバと、
前記編集システムから送信される編集リストを受信して前記編集リスト管理手段に登録する編集リスト受信登録手段と、
前記プレビューシステム側ビデオサーバに対して、前記プレビューシステム側素材データ管理手段にて管理される映像素材データを用いて前記編集リスト管理手段にて管理される前記編集リストに従ってプレビュー映像コンテンツを組み立てさせ、前記プレビュー映像コンテンツを出力手段から出力させるプレビュー端末とを有することを特徴とするコンテンツ制作システム。
【請求項３】
前記編集システム側素材データ管理手段にて管理される映像素材データは、前記プレビューシステム側素材データ管理手段にて管理される映像素材データより高い精細度を有し、
前記編集システム及び前記プレビューシステムのいずれか一方は、前記編集システムにて生成された編集リストを前記プレビューシステム側素材データ管理手段にて管理される映像素材データの精細度に適合するように変換する編集リスト変換手段を有することを特徴とする請求項１または２記載のコンテンツ制作システム。
【請求項４】
前記編集システムは、前記編集システム側素材データ管理手段にて管理される映像素材データの精細度を前記プレビューシステム側素材データ管理手段にて管理される映像素材データの精細度と同じになるように変換する映像素材データ変換手段と、
前記映像素材データ変換手段にて得られた映像素材データを所定の媒体に記録する映像素材データ記録手段とを有することを特徴する請求項３記載のコンテンツ制作システム。
【請求項５】
前記プレビューシステムは、前記編集システムから受信された編集リストを部分的に修正するカット編集手段と、
前記カット編集手段にて修正された編集リストを前記編集システムに前記所定のネットワークを介して送信するカット編集結果送信手段とを有することを特徴とする請求項１乃至４のいずれかに記載のコンテンツ制作システム。
【請求項６】
前記編集手段は、前記映像素材データと映像効果を表す映像効果データとを用いて前記原映像コンテンツを編集し、前記原映像コンテンツを構成すべき映像素材データ及び映像効果データの編集リストを作成し、
前記映像効果データを前記プレビューシステムに前記所定のネットワークを介して送信する映像効果データ送信手段を有し、
前記プレビュー制御手段は、前記プレビューシステム側素材データ管理手段にて管理される映像素材データ及び前記編集システムから受信された映像効果データを用いて前記編集リストに従って前記プレビュー映像コンテンツを組み立てて、前記プレビュー映像コンテンツを前記出力手段に出力させるようにしたことを特徴とする請求項１記載のコンテンツ制作システム。
【請求項７】
前記編集手段は、前記映像素材データと映像効果を表す映像効果データとを用いて前記原映像コンテンツを編集し、前記原映像コンテンツを構成すべき映像素材データ及び映像効果データの編集リストを作成し、
前記映像効果データを前記プレビューシステムに前記所定のネットワークを介して送信する映像効果データ送信手段を有し、
前記プレビューシステム側ビデオサーバは、映像効果を表す映像効果データを格納し、管理する映像効果データ管理手段を備え、
前記プレビューシステムは、前記編集システムから送信される前記映像効果データを受信して前記映像効果データ管理手段に登録する映像効果データ登録手段を有し、
前記プレビュー端末は、前記プレビューシステム側ビデオサーバに対して、前記プレビューシステム側素材データ管理手段にて管理される映像素材データ及び前記映像効果データ管理手段にて管理される映像効果データを用いて前記編集リスト管理手段にて管理される編集リストに従って前記プレビュー映像コンテンツを組み立てさせ、前記プレビュー映像コンテンツを前記出力手段に出力させるようにしたことを特徴とする請求項２記載のコンテンツ制作システム。
【請求項８】
編集システムと所定のネットワークにて通信可能に接続されたプレビューシステムであって、
映像素材データを格納し、管理する素材データ管理手段と、
前記素材データ管理手段にて管理される映像素材データを用いて、前記編集システムから前記所定のネットワークを介して受信される映像素材データの編集リストに従ってプレビュー映像コンテンツを組み立てて、前記プレビュー映像コンテンツを出力手段に出力させるプレビュー制御手段とを有することを特徴とするプレビューシステム。
【請求項９】
編集システムと所定のネットワークにて通信可能に接続されたプレビューシステムであって、
映像素材データを格納し、管理する素材データ管理手段と、編集リストを格納し、管理する編集リスト管理手段を備えたビデオサーバと、
前記編集システムから送信される映像素材データの編集リストを受信して前記編集リスト管理手段に登録する編集リスト受信登録手段と、
前記ビデオサーバに対して、前記素材データ管理手段にて管理される映像素材データを用いて前記編集リスト管理手段にて管理される編集リストに従ってプレビュー映像コンテンツを組み立てさせ、前記プレビュー映像コンテンツを出力手段から出力させるプレビュー端末とを有することを特徴とするプレビューシステム。
【請求項１０】
前記素材データ管理手段にて管理される映像素材データは、前記編集システムにて編集リストを作成する際に用いられる映像素材データより低い精細度を有し、
前記編集システムから受信される編集リストを前記素材データ管理手段にて管理される映像素材データの精細度に適合するように変換する編集リスト変換手段を有することを特徴とする請求項８または９記載のプレビューシステム。
【請求項１１】
前記編集システムから受信された編集リストを部分的に修正するカット編集手段と、
前記カット編集手段にて修正された編集リストを前記編集システムに前記所定のネットワークを介して送信するカット編集結果送信手段とを有することを特徴とする請求項８乃至１０のいずれかに記載のプレビューシステム。
【請求項１２】
前記プレビュー制御手段は、前記素材データ管理手段にて管理される映像素材データ及び前記編集システムから受信された映像効果を表す映像効果データを用いて前記編集システムから受信される映像素材データと映像効果データとを含む編集リストに従ってプレビュー映像コンテンツを組み立てて、前記プレビュー映像コンテンツを前記出力手段に出力させるようにしたことを特徴とする請求項８記載のプレビューシステム。
【請求項１３】
前記編集リスト受信登録手段は、前記編集システムから送信される映像素材データと映像効果を表す映像効果データとを含む編集リストを前記編集リスト管理手段に登録し、
前記ビデオサーバは、映像効果を表す映像効果データを格納、管理する映像効果データ管理手段を備え、
前記編集システムから送信される映像効果データを受信して前記映像効果データ管理手段に登録する映像効果データ登録手段を有し、
前記プレビュー端末は、前記ビデオサーバに対して、前記素材データ管理手段にて管理される映像素材データ及び前記映像効果データ管理手段にて管理される映像効果データを用いて前記編集リスト管理手段にて管理される編集リストに従ってプレビュー映像コンテンツを組み立てさせ、前記プレビュー映像コンテンツを前記出力手段に出力させるようにしたことを特徴とする請求項９記載のプレビューシステム。
【発明の詳細な説明】
【０００１】
【発明の属する技術分野】
本発明は、映像コンテンツを制作するコンテンツ制作システムに係り、詳しくは、編集システムで編集、制作した映像コンテンツを遠隔のプレビューシステムにて顧客に試写（プレビュー）するようにしたコンテンツ作成システムに関する。
【０００２】
また、本発明は、前記コンテンツ制作システムに適用することのできるプレビューシステムに関する。
【０００３】
【従来の技術】
従来、映像コンテンツの編集、制作において、デジタル編集を行うノンリニア編集機が用いられている（例えば、特許文献１参照）。このノンリニア編集機を用いた映像コンテンツの制作システムでは、デジタル化された映像素材データをつなぎ合わせて編集される映像コンテンツの編集結果として、その映像コンテンツを構成すべき映像素材データの編集リストが作成される。この編集リストは、例えば、ＥＤＬ（Ｅｄｉｔ  Ｄｅｃｉｓｉｏｎ  Ｌｉｓｔ）と呼ばれ、前記映像コンテンツを構成すべき映像素材データを特定する情報、その切り出し開始点や終了点等の情報を含む。このような編集リストに従って映像素材データをつなぎ合わせて映像コンテンツを組み立てることにより、その映像コンテンツが再生されるようになる。
【０００４】
また、前述したようなノンリニア編集機を備えた複数の編集システムをネットワークにて接続し、各編集システムがネットワークを介して前記編集リストを送受信することにより共通の映像コンテンツを複数の編集システムが協調して編集、制作する協調編集システムが提案されている（例えば、特許文献２参照）。このような協調編集システムにより、情報量の多い映像コンテンツそのものをネットワークを介して転送させることなく、遠隔の地にいる複数の者（制作者）が協力し合って１つの映像コンテンツを制作することができるようになる。
【０００５】
ところで、映像コンテンツを編集、制作する過程で、その映像コンテンツの作成に顧客の意見を反映させるために、映像コンテンツを顧客に試写（プレビュー）する場合がある。この場合、映像コンテンツの制作現場に顧客を招き、その制作現場で編集、制作された映像コンテンツを試写している。
【０００６】
【特許文献１】
特開２００１−１１１８６５号公報
【特許文献２】
特開２００２−１９１０１１号公報
【０００７】
【発明が解決しようとする課題】
しかし、前記特許文献１に開示される編集システムでは、その編集システムが設置される制作現場から遠隔の地に居る顧客は、わざわざその遠方の制作現場に出向かなければならない。
【０００８】
また、前記特許文献２に開示される協調編集システムにあっても、顧客は、複数の編集システムのいずれかが設置された映像コンテンツの制作現場にてその映像コンテンツの試写（プレビュー）を受けなければならない。この場合、単なる映像コンテンツの試写であっても編集作業を行うための編集機材（例えば、ノンリニア編集機）等の高価な機材を利用しなければならない。
【０００９】
本発明は、このような問題を解決するためになされたもので、映像コンテンツの制作現場と異なる遠隔の地にて容易にその影像コンテンツのプレビューを実現できるようにしたコンテンツ制作システムを提供するものである。
【００１０】
また、本発明は、そのようなコンテンツ制作システムに適用することのできるプレビューシステムを提供するものである。
【００１１】
【課題を解決するための手段】
本発明に係るコンテンツ制作システムは、所定のネットワークにて通信可能に接続された編集システムとプレビューシステムとを有し、前記編集システムが、映像素材データを格納し、管理する編集システム側素材データ管理手段と、前記編集システム側素材データ管理手段にて管理される映像素材データを用いて原映像コンテンツを編集し、前記原映像コンテンツを構成すべき映像素材データの編集リストを作成する編集手段と、前記編集手段にて作成された編集リストを前記プレビューシステムに前記所定のネットワークを介して送信する編集リスト送信手段とを有し、前記プレビューシステムが、映像素材データを格納し、管理するプレビューシステム側素材データ管理手段と、前記プレビューシステム側素材データ管理手段にて管理される映像素材データを用いて前記編集システムから受信された編集リストに従ってプレビュー映像コンテンツを組み立てて、前記プレビュー映像コンテンツを出力手段に出力させるプレビュー制御手段とを有するように構成される。
【００１２】
このような構成により、編集システムからプレビューシステムに対して原映像コンテンツそのものの送信は行われず、その原映像コンテンツを構成する映像素材データの編集リストの送信が行われる。そして、前記編集システム側素材データ管理手段にて管理される映像素材データを少なくとも含む映像素材データをプレビューシステム側素材データ管理手段が管理する状態とされたプレビューシステムにおいて、プレビュー制御手段が、その映像素材データを用いて受信した編集リストに従ってプレビュー映像コンテンツを組み立てて、そのプレビュー映像コンテンツを出力手段から出力させる。これにより、映像コンテンツの試写（プレビュー）がなされる。
【００１３】
例えば、このプレビュー映像コンテンツを見た顧客の意見を原映像コンテンツの制作現場に通知（例えば、電話等により）することにより、制作現場では、編集システムによりその顧客の意見に基づいて原映像コンテンツの再編集を行うことができるようになる。
【００１４】
前記プレビュー制御手段は、映像コンテンツの編集機能とは別個に構成することが可能であり、このようなプレビュー制御手段を備えるプレビューシステムでは、映像コンテンツの編集機材を用いることなく、前記編集システムにて制作された映像コンテンツの試写が可能となる。
【００１５】
また、本発明に係るコンテンツ制作システムは、所定のネットワークにて通信可能に接続された編集システムとプレビューシステムとを有し、前記編集システムが、映像素材データを格納し、管理する編集システム側素材データ管理手段を備えた編集システム側ビデオサーバと、前記編集システム側素材データ管理手段にて管理される映像素材データを用いて原映像コンテンツを編集し、前記原映像コンテンツを構成すべき映像素材データの編集リストを作成する編集手段と、前記編集手段にて作成された編集リストを前記プレビューシステムに前記所定のネットワークを介して送信する編集リスト送信手段とを有し、前記プレビューシステムが、映像素材データを格納し、管理するプレビューシステム側素材データ管理手段と、編集リストを格納し、管理する編集リスト管理手段とを備えたプレビューシステム側ビデオサーバと、前記編集システムから送信される編集リストを受信して前記編集リスト管理手段に登録する編集リスト受信登録手段と、前記プレビューシステム側ビデオサーバに対して、前記プレビューシステム側素材データ管理手段にて管理される映像素材データを用いて前記編集リスト管理手段にて管理される前記編集リストに従ってプレビュー映像コンテンツを組み立てさせ、前記プレビュー映像コンテンツを出力手段から出力させるプレビュー端末とを有するように構成される。
【００１６】
このような構成により、プレビューシステムシステム側ビデオサーバ（素材データ管理手段）が編集システム側素材データ管理手段にて格納、管理される映像素材データを少なくとも含む映像素材データを格納、管理する状態で、編集システムから編集リストが送信されると、その編集リストが編集リスト受信登録手段によりプレビューシステム側ビデオサーバ（編集リスト管理手段）に登録される。そして、プレビュー端末が、前記プレビューシステム側ビデオサーバに対して前記映像素材データを用いて前記編集リストに従ってプレビュー映像コンテンツを組み立てさせ、そのプレビュー映像コンテンツを出力機器から出力させる。これにより、映像コンテンツの試写（プレビュー）がなされる。
【００１７】
前記プレビュー端末は、映像コンテンツの編集機材とは別個であり、このようなプレビュー端末を備えるプレビューシステムでは、映像コンテンツの編集機材を用いることなく、前記編集システムにて制作された映像コンテンツの試写が可能となる。
【００１８】
本発明に係るコンテンツ制作システムは、前記編集システム側素材データ管理手段にて管理される映像素材データが、前記プレビューシステム側素材データ管理手段にて管理される映像素材データより高い精細度を有し、前記編集システム及び前記プレビューシステムのいずれか一方が、前記編集システムにて生成された編集リストを前記プレビューシステム側素材データ管理手段にて管理される映像素材データの精細度に適合するように変換する編集リスト変換手段を有するように構成することができる。
【００１９】
このような構成により、編集システムで作成された高い精細度の映像素材データの編集リストがプレビューシステムに備えられた低い精細度の映像素材データの精細度に適合するように変換されるので、プレビューシステムでは、前記変換後の編集リストに従ってその低い精細度の映像素材データを用いて映像コンテンツを組み立て、その映像コンテンツの試写が可能となる。従って、プレビューシステムを、低い精細度の映像素材データを処理すれば足りる比較的安価な機材にて構成することが可能となる。
【００２０】
また、上述したように編集リストの変換機能を有する発明に係るコンテンツ制作システムは、前記編集システムが、前記編集システム側素材データ管理手段にて管理される映像素材データの精細度を前記プレビューシステム側素材データ管理手段にて管理される映像素材データの精細度と同じになるように変換する映像素材データ変換手段と、前記映像素材データ変換手段にて得られた映像素材データを所定の媒体に記録する映像素材データ記録手段とを有するように構成することができる。
【００２１】
このような構成により、プレビューシステムにて必要となる低い精細度の映像素材データを記録した媒体を編集システムにて得ることができるようになる。この媒体をプレビューシステムの設置場所に送る（例えば、郵送により）ことにより、プレビューシステムにおいて低い精細度の映像データを用いた映像コンテンツの試写が可能となる。
【００２２】
更に、本発明に係るコンテンツ制作システムは、前記プレビューシステムが、前記編集システムから受信された編集リストを部分的に修正するカット編集手段と、前記カット編集手段にて修正された編集リストを前記編集システムに前記所定のネットワークを介して送信するカット編集結果送信手段とを有するように構成することができる。
【００２３】
このような構成により、プレビューシステムにおいて試写される映像コンテンツを見た結果、部分的に修正したい箇所に対応した編集リストを修正し、その修正後の編集リストを編集システムに送ることができる。その結果、編集システムでは、その修正後の編集リストに従って映像素材データを用いて映像コンテンツを再生すれば、映像コンテンツの修正の意図を確認することができるようになる。
【００２４】
また、本発明に係るコンテンツ制作システムは、前記編集手段が、前記映像素材データと映像効果を表す映像効果データとを用いて前記原映像コンテンツを編集し、前記原映像コンテンツを構成すべき映像素材データ及び映像効果データの編集リストを作成し、前記映像効果データを前記プレビューシステムに前記所定のネットワークを介して送信する映像効果データ送信手段を有し、前記プレビュー制御手段が、前記プレビューシステム側素材データ管理手段にて管理される映像素材データ及び前記編集システムから受信された映像効果データを用いて前記編集リストに従って前記プレビュー映像コンテンツを組み立てて、前記プレビュー映像コンテンツを前記出力手段に出力させるように構成することができる。
【００２５】
このような構成により、編集システムにおいて映像効果データと映像素材データとを用いて編集、制作された映像コンテンツをプレビューシステムにて試写できるようになる。この場合、比較的情報量の少ない映像効果データが所定のネットワークを介して編集システムからプレビューシステムに送信されるので、その転送時間のロスも比較的少ないものとなる。
【００２６】
前記映像効果データを編集システムからプレビューシステムに送信するようにした前記コンテンツ制作システムと同様の観点から、本発明に係るコンテンツ制作システムは、前記編集手段が、前記映像素材データと映像効果を表す映像効果データとを用いて前記原映像コンテンツを編集し、前記原映像コンテンツを構成すべき映像素材データ及び映像効果データの編集リストを作成し、前記映像効果データを前記プレビューシステムに前記所定のネットワークを介して送信する映像効果データ送信手段を有し、前記プレビューシステム側ビデオサーバが、映像効果を表す映像効果データを格納し、管理する映像効果データ管理手段を備え、前記プレビューシステムが、前記編集システムから送信される前記映像効果データを受信して前記映像効果データ管理手段に登録する映像効果データ登録手段を有し、前記プレビュー端末が、前記プレビューシステム側ビデオサーバに対して、前記プレビューシステム側素材データ管理手段にて管理される映像素材データ及び前記映像効果データ管理手段にて管理される映像効果データを用いて前記編集リスト管理手段にて管理される編集リストに従って前記プレビュー映像コンテンツを組み立てさせ、前記プレビュー映像コンテンツを前記出力手段に出力させるように構成することができる。
【００２７】
本発明に係るプレビューシステムは、編集システムと所定のネットワークにて通信可能に接続されたプレビューシステムであって、映像素材データを格納し、管理する素材データ管理手段と、前記素材データ管理手段にて管理される映像素材データを用いて、前記編集システムから前記所定のネットワークを介して受信される映像素材データの編集リストに従ってプレビュー映像コンテンツを組み立てて、前記プレビュー映像コンテンツを出力手段に出力させるプレビュー制御手段とを有するように構成される。
【００２８】
また、本発明に係るプレビューシステムは、編集システムと所定のネットワークにて通信可能に接続されたプレビューシステムであって、映像素材データを格納し、管理する素材データ管理手段と、編集リストを格納し、管理する編集リスト管理手段を備えたビデオサーバと、前記編集システムから送信される映像素材データの編集リストを受信して前記編集リスト管理手段に登録する編集リスト受信登録手段と、前記ビデオサーバに対して、前記素材データ管理手段にて管理される映像素材データを用いて前記編集リスト管理手段にて管理される編集リストに従ってプレビュー映像コンテンツを組み立てさせ、前記プレビュー映像コンテンツを出力手段から出力させるプレビュー端末とを有するように構成される。
【００２９】
更に、本発明に係るプレビューシステムは、前記素材データ管理手段にて管理される映像素材データが、前記編集システムにて編集リストを作成する際に用いられる映像素材データより低い精細度を有し、前記編集システムから受信される編集リストを前記素材データ管理手段にて管理される映像素材データの精細度に適合するように変換する編集リスト変換手段を有するように構成することができる。
【００３０】
また、本発明に係るプレビューシステムは、前記編集システムから受信された編集リストを部分的に修正するカット編集手段と、前記カット編集手段にて修正された編集リストを前記編集システムに前記所定のネットワークを介して送信するカット編集結果送信手段とを有するように構成することができる。
【００３１】
更に、本発明に係るプレビューシステムは、前記プレビュー制御手段が、前記素材データ管理手段にて管理される映像素材データ及び前記編集システムから受信された映像効果を表す映像効果データを用いて前記編集システムから受信される映像素材データと映像効果データとを含む編集リストに従ってプレビュー映像コンテンツを組み立てて、前記プレビュー映像コンテンツを前記出力手段に出力させるように構成することができる。
【００３２】
また、本発明に係るプレビューシステムは、前記編集リスト受信登録手段が、前記編集システムから送信される映像素材データと映像効果を表す映像効果データとを含む編集リストを前記編集リスト管理手段に登録し、前記ビデオサーバが、映像効果を表す映像効果データを格納、管理する映像効果データ管理手段を備え、前記編集システムから送信される映像効果データを受信して前記映像効果データ管理手段に登録する映像効果データ登録手段を有し、前記プレビュー端末が、前記ビデオサーバに対して、前記素材データ管理手段にて管理される映像素材データ及び前記映像効果データ管理手段にて管理される映像効果データを用いて前記編集リスト管理手段にて管理される編集リストに従ってプレビュー映像コンテンツを組み立てさせ、前記プレビュー映像コンテンツを前記出力手段に出力させるように構成することができる。
【００３３】
前述した各構成のプレビューシステムは、前述したコンテンツ制作システムに適用することができる。
【００３４】
【発明の実施の形態】
以下、本発明の実施の形態について、図面を用いて説明する。
【００３５】
本発明の第一の実施の形態に係るコンテンツ制作システムは、図１に示すように構成される。
【００３６】
図１において、映像コンテンツの制作支社に設置された編集システム１０がその社内ネットワーク３０に接続されている。また、営業支社に設置されたプレビューシステム２０がその社内ネットワーク４０に接続されている。制作支社の社内ネットワーク３０がゲートウエイ３１を介して広域ネットワーク（例えば、インターネット）５０に接続されると共に、営業支社の社内ネットワーク４０がゲートウエイ４１を介して広域ネットワーク５０に接続され、編集システム１０とプレビューシステム２０とが、それらのネットワーク３０、５０、４０及びゲートウエイ３１、４１を介して情報通信を行うことができるようになっている。
【００３７】
編集システム１０は、ＳＤ（Ｓｔａｎｄａｒｄ  Ｄｅｎｓｉｔｙ：以下、同じ）ビデオサーバ１１、ＳＤノンリニア編集機１２、前記ＳＤビデオサーバ１１に接続されたビデオレコーダ１３及びＥＤＬ転送・登録部１４を有している。ＥＤＬ転送・登録部１４は、例えば、パーソナルコンピュータの機能として実現される。ＳＤビデオサーバ１１は、テープメディアに記録された映像信号をビデオレコーダ１３から取り込んでデジタル化された標準解像度の映像素材データに変換し、その標準解像度の映像素材データを格納し、管理する。また、ＳＤビデオサーバ１１は、格納、管理する標準解像度の映像素材データをビデオレコーダ１３に送り、その映像素材データをテープメディアに記録させることもできる。
【００３８】
ＳＤノンリニア編集機１２は、オペレータ（映像コンテンツ制作者）の操作に従って、ＳＤビデオサーバ１１にて管理される標準解像度の映像素材データを社内ネットワーク３０を介して取得し、その映像素材データを用いて映像コンテンツ（原映像コンテンツ）を編集し、その映像コンテンツを構成する映像素材データ（映像クリップ）の編集リストを作成する。前記編集リストは、例えば、ＥＤＬ（Ｅｄｉｔ  Ｄｅｃｉｓｉｏｎ  Ｌｉｓｔ）である。この映像コンテンツの編集結果を表す編集リスト（ＥＤＬ）は、ＥＤＬ転送・登録部１４を介してＳＤビデオサーバ１１に登録される。そして、ＳＤビデオサーバ１１がその編集リストを管理する。
【００３９】
パーソナルコンピュータの機能として実現される前記ＥＤＬ転送・登録部１４は、所定の操作に基づいてＳＤビデオサーバ１１にて管理される編集リスト（ＥＤＬ）を取り出して、プレビューシステム２０に向けて送信する。
【００４０】
プレビューシステム１０は、ＳＤビデオサーバ２１、プレビュー端末２２、前記ＳＤビデオサーバ２１に接続されたビデオレコーダ２３及びＥＤＬ転送・登録部２４を有している。ＥＤＬ転送・登録部２４は、例えば、パーソナルコンピュータの機能として実現される。ＳＤビデオサーバ２１は、テープメディアに記録された映像信号をビデオレコーダ２３から取り込んでデジタル化された標準解像度の映像素材データに変換し、その標準映像素材データを格納し、管理する。また、ＳＤビデオサーバ２１は、表示ユニット２１ａを有し、この表示ユニット２１ａが映像コンテンツ（プレビュー映像コンテンツ）のプレビュー（試写）に用いられる。
【００４１】
プレビュー端末２２は、オペレータの操作に基づいて映像コンテンツをプレビュー（試写）させるための制御を行う。このプレビュー端末２２も、例えば、パーソナルコンピュータにて構成される。ＥＤＬ転送・登録部２４は、前記編集システム１０におけるＥＤＬ転送・登録部１４から送信され、制作支社の社内ネットワーク３０、ゲートウエイ３１、広域ネットワーク５０を順次転送される編集リスト（ＥＤＬ）をゲートウエイ４１及び営業支社の社内ネットワーク４０を介して受信する。また、このＥＤＬ転送・登録部２４は、受信した編集リスト（ＥＤＬ）を社内ネットワーク４０を介してＳＤビデオサーバ２１に登録する。ＳＤビデオサーバ２１は、このように登録される編集リスト（ＥＤＬ）の管理も行う。
【００４２】
本発明の第二の実施の形態に係るコンテンツ制作システムは、図２に示すように構成される。この第二の実施の形態に係るコンテンツ制作システムは、編集システム１０におけるＳＤビデオサーバ１１及びＳＤノンリニア編集機１２のそれぞれに代えてＨＤ（Ｈｉｇｈ  Ｄｅｎｓｉｔｙ：以下、同じ）ビデオサーバ１５及びＨＤノンリニア編集機１６を用い、プレビューシステム２０におけるＳＤビデオサーバ２１に代えてＨＤビデオサーバ２５を用いた点で、前記第一の実施の形態に係るコンテンツ制作システムと相違する。
【００４３】
この第二の実施の形態に係るコンテンツ制作システムの編集システム１０では、ＨＤビデオサーバ１５が高解像度の映像素材データを格納、管理し、ＨＤノンリニア編集機１６がＨＤビデオサーバ１５にて管理される高解像度の映像素材データを用いて映像コンテンツ（原映像コンテンツ）を編集し、その映像コンテンツを構成する高解像度の映像素材データ（映像クリップ）の編集リスト（ＥＤＬ）を作成する。また、プレビューシステム２０では、ＨＤビデオサーバ２５が編集システム１０のＨＤビデオサーバ１５と同様に、高解像度の映像素材データを格納し、管理する。
【００４４】
前記第一の実施の形態に係るコンテンツ制作システムと前記第二の実施の形態に係るコンテンツ制作システムは、扱う映像素材データの精細度が異なる（標準解像度と高解像度の違い）だけで、その処理手順は同じである。以下、前記第一及び第二の実施の形態に係るコンテンツ制作システムでの処理手順を統合して説明する。
【００４５】
編集システム１０において、ビデオサーバ（１１、１５）は、例えば、図３に示すような、テープＡ（１００コマ分）、テープＢ（２００コマ分）、テープＣ（１５０コマ分）及びテープＤ（８０コマ分）からビデオレコーダ１３を介して取得した映像素材データを格納し、管理する。これらのテープＡ、Ｂ、Ｃ、Ｄは営業支社に送られる（例えば、郵送）。営業支社に設置されたプレビューシステム２０におけるビデオレコーダ２３は、これらのテープＡ、Ｂ、Ｃ、Ｄからビデオレコーダ２３を介して取得した映像素材データを格納し、管理する。即ち、編集システム１０及びプレビューシステム２０は、それぞれ同じ映像素材データを管理している。
【００４６】
編集システム１０において、ノンリニア編集機（１２、１６）は、オペレータ（映像コンテンツ制作者）による操作に基づいて、ビデオサーバ（１１、１５）にて管理される映像素材データを用いて映像コンテンツを編集し、その映像コンテンツを構成する、例えば、図３に示すような、テープＡの５コマ目から１０コマ目までの映像素材データ、テープＢの２０コマ目から３５コマ目までの映像素材データ、テープＣの１２コマ目から１７コマ目までの映像素材データ、テープＡの８０コマ目から９０コマ目までの映像素材データ及びテープＤの４７コマ目から６８コマ目までの映像素材データの編集リストを、図４に示すような形式で作成する。なお、図４に示す形式の編集リストは、説明を簡略化するためにＥＤＬを原理的に示すもので、実際のＥＤＬとは細部において異なる。この編集リスト（ＥＤＬ）は、例えば、テキストデータにて記述される。
【００４７】
営業支社に顧客を招き、その顧客に対して前述したように編集、制作された映像コンテンツ（プレビュー映像コンテンツ）をプレビューシステム２０にて試写（プレビュー）する場合、例えば、図５に示す手順に従って処理がなされる。
【００４８】
図５において、編集システム１０では、オペレータの操作に基づいてノンリニア編集機（１２、１６）から前述したように作成された編集リスト（図４参照）がＥＤＬ転送・登録部１４を介してビデオサーバ（１１、１５）に登録される（Ｓ１１）。この状態で、ＥＤＬ転送・登録部１４の機能を有するパーソナルコンピュータに対して所定の指定操作がなされると、そのＥＤＬ転送・登録部１４がビデオサーバ（１１、１５）から指定された編集リスト（ＥＤＬ）を取り出して、プレビューシステム２０に宛てて送信する（Ｓ１２）。このように送信された編集リスト（ＥＤＬ）は、制作支社の社内ネットワーク３０、ゲートウエイ３１、広域ネットワーク５０、ゲートウエイ４１及び営業支社の社内ネットワーク４０を介してプレビューシステム２０のＥＤＬ転送・登録部２４まで転送される。
【００４９】
プレビューシステム２０では、前述したように編集システム１０から転送される編集リスト（ＥＤＬ）を受信したＥＤＬ転送・登録部２４は、その編集リスト（ＥＤＬ）を社内ネットワーク４０を介してビデオサーバ（２１、２５）に登録する（Ｓ２１）。その状態で、営業社員がプレビュー端末２２に対して所定の操作を行うと、プレビュー端末２２がビデオサーバ（２１、２５）内のコンテンツリストを参照して、目的の映像コンテンツに対応した編集リスト（ＥＤＬ）のテープロードを指定する（Ｓ２２）。これにより、ビデオサーバ（２１、２５）は、指定された編集リスト（ＥＤＬ）の再生準備を行う（Ｓ２３）。その後、営業社員による所定の操作に基づいてプレビュー端末２２がビデオサーバ（２１、２５）に対して再生指示を行うと（Ｓ２４）、ビデオサーバ（２１、２５）は、格納、管理する映像素材データ（テープＡ、テープＢ、テープＣ、テープＤ）を用いて前記指定された編集リスト（ＥＤＬ：図４参照）に従って映像コンテンツ（プレビュー映像コンテンツ）を組み立て、その映像コンテンツを表示ユニット（２１ａ、２５ａ）に表示させる（Ｓ２５）。
【００５０】
このように表示ユニット（２１ａ、２５ａ）に表示されることにより試写（プレビュー）された映像コンテンツを見た顧客のその映像コンテンツに対する意見、感想、指示が営業支社から制作支社に、例えば、電話にて通知される。顧客の映像コンテンツに対する意見、感想、指示を知らされた制作支社の制作者は、ノンリニア編集機（１２、２６）を操作して映像コンテンツ（原映像コンテンツ）の再編集を行う。そして、その再編集された映像コンテンツを構成する映像素材データの編集リスト（ＥＤＬ）が、前述した手順と同様の手順に従って編集システム１０からプレビューシステム２０に転送される。そして、プレビューシステム２０において、前述した手順と同様の手順により、前記再編集された映像コンテンツが受信された編集リスト（ＥＤＬ）に従って組み立てられ、その映像コンテンツ（プレビュー映像コンテンツ）がビデオサーバ（２１、２５）の表示ユニット（２１ａ、２５ａ）に表示される。これにより、顧客は、前記再編集された映像コンテンツを見ることができる。
【００５１】
編集システム１０が設置された制作支社と、その制作支社から遠隔にあり、プレビューシステム２０が設置された営業支社との間で、前述したようなやり取りが繰り返され、顧客が満足する映像コンテンツの制作が効率的に行われる。
【００５２】
本発明の第三の実施の形態に係るコンテンツ制作システムは、図６に示すように構成される。この第三の実施の形態は、制作支社に設置された編集システム１０では高解像度の映像素材データを用いて映像コンテンツの制作がなされ、営業支社に設置されたプレビューシステム２０では標準解像度の映像素材データで構成される映像コンテンツが試写される点で、前記第一の形態及び第二の形態と相違する。
【００５３】
図６において、編集システム１０は、ＳＤビデオサーバ１１、ビデオコーダ１３、ＥＤＬ転送・登録部１４、ＨＤビデオサーバ１５、ＨＤノンリニア編集機１６、ダウンコンバータ１７及びＥＤＬ変換部１８を有している。この編集システム１０では、前述した第二の実施の形態（図２参照）と同様に、ＨＤビデオサーバ１５が高解像度の映像素材データを格納、管理し、ＨＤノンリニア編集機１６がＨＤビデオサーバ１５にて管理される高解像度の映像素材データを用いて映像コンテンツ（原映像コンテンツ）を編集し、その映像コンテンツを構成する高解像度の映像素材データ（映像クリップ）の編集リスト（ＥＤＬ）を作成する。また、ＨＤノンリニア編集機１６にて作成された高解像度の映像素材データに適合した編集リスト（ＥＤＬ）は、ＥＤＬ転送・登録部１４を介してＨＤビデオサーバ１５に登録される。そして、ＨＤビデオサーバがその編集リストを格納、管理する。ダウンコンバータ１７は、ＨＤビデオサーバ１５に格納、管理される高解像度の映像素材データを標準解像度の映像素材データに変換する。ＳＤビデオサーバ１１は、ダウンコンバータ１７によって得られた標準解像度の映像素材データを格納するために使用される。
【００５４】
ＥＤＬ転送・登録部１４及びＥＤＬ変換部１８は、例えば、単一のパーソナルコンピュータの機能として実現される。ＥＤＬ変換部１８は、ＥＤＬ転送・登録部１４によってＨＤビデオサーバ１５から取り出された編集リスト（ＥＤＬ）を標準解像度の映像素材データに適合するように変換する。このＥＤＬ変換部１８は、例えば、前記高解像度と標準解像度との比に応じて、高解像度の映像素材データに適合するように作成された編集リスト（ＥＤＬ：図４参照）における使用映像素材データのコマ数（図４におけるＩＮ点、ＯＵＴ点及びその間のコマ数）を標準解像度の映像素材データに適合するように変換する。そして、ＥＤＬ転送・登録部１４の制御のもと、前記ＥＤＬ変換部１８にて得られた標準解像度の映像素材データに適合する編集リスト（ＥＤＬ）がプレビューシステム２０に向けて送信される。このプレビューシステム２０に向けて送信された標準解像度の映像素材データに適合する編集リスト（ＥＤＬ）は、制作支社の社内ネットワーク３０、ゲートウエイ３１、広域ネットワーク５０、ゲートウエイ４１及び営業支社の社内ネットワーク４０を介してプレビューシステム２０に転送される。
【００５５】
プレビューシステム２０は、前述した第一の実施の形態と同様に、表示ユニット２１ａを備えたＳＤビデオサーバ２１、プレビュー端末２２、ビデオレコーダ２３及びＥＤＬ転送・登録部２４を有している。このプレビューシステム２０では、プレビュー端末２２の制御のもと、ＳＤビデオサーバ２１の表示ユニット２１ａに映像コンテンツ（プレビュー映像コンテンツ）が表示（試写）される。
【００５６】
この第三の実施の形態に係るコンテンツ制作システムでは、映像コンテンツの試写に先立って、図７に示す手順に従って処理がなされ、編集システム１０のＨＤビデオサーバ１５にて格納、管理される高解像度の映像素材データに対応した標準解像度の映像素材データがプレビューシステム２０に提供される。
【００５７】
図７において、編集システム１０では、映像コンテンツの編集、制作に使用されるべき高解像度の映像素材データ（ＨＤ素材）がＨＤビデオサーバ１５に登録される（Ｓ１）。ＨＤビデオサーバ１５に対するオペレータによる所定の操作に基づいて、ＨＤビデオサーバ１５に格納、管理される高解像度の映像素材データがダウンコンバータ１７に供給され、解像度の変換を行うダウンコンバータ１７により得られた標準解像度の映像素材データがＳＤビデオサーバ１１に登録される（Ｓ２）。その後、ＳＤビデオサーバ１１に対するオペレータの所定の操作に基づいて、ＳＤビデオサーバ１１に登録されている標準解像度の映像素材データがビデオレコーダ１３に供給され、その標準解像度の映像素材データがビデオレコーダ１３よってテープに記録される（Ｓ３）。
【００５８】
このように標準解像度の映像素材データが記録されたテープは、制作支社から映像コンテンツのプレビューを行うべき営業支社に向けて発送される（例えば、郵送）。そして、そのテープが営業支社に届くと、そのテープがプレビューシステム２０におけるビデオコーダ２３にセットされ、ビデオレコーダ２３にてテープから読み出される標準解像度の映像素材データが順次ＳＤビデオサーバ２１に格納（登録）される（Ｓ４）。これにより、制作支社に設置される編集システム１０にて使用される高解像度の映像素材データに対応した標準解像度の映像素材データが営業支社に設置されるプレビューシステム２０におけるＳＤビデオサーバ２１に登録されることになる。
【００５９】
このような状態において、映像コンテンツの作成及びその映像コンテンツのプレビューは、例えば、図８に示す手順に従ってなされる。
【００６０】
図８において、編集システム１０では、オペレータの操作に基づいてＨＤノンリニア編集機１６から前述したように作成された編集リスト（ＥＤＬ：図４参照）がＥＤＬ転送・登録部１４を介してＨＤビデオサーバ１５に登録される（Ｓ１１）。このＨＤビデオサーバ１５に登録される編集リスト（ＥＤＬ）は高解像度の映像素材データに適合している（ＨＤレベル）。この状態で、ＥＤＬ転送・登録部１４及びＥＤＬ変換部１８の機能を有するパーソナルコンピュータに対して所定の操作がなされると、ＥＤＬ転送・登録部１４がＨＤビデオサーバ１５から指定された編集リスト（ＥＤＬ）を取り出す（Ｓ１２１）。そして、ＥＤＬ変換部１８がその高解像度の映像素材データに適合した編集リスト（ＥＤＬ：ＨＤレベル）を標準解像度の映像素材データに適合した編集リスト（ＥＤＬ：ＳＤレベル）に変換し、ＥＤＬ転送・登録部１４がＥＤＬ変換部１８にて得られた標準解像度の映像素材データに適合した編集リスト（ＥＤＬ：ＳＤレベル）をプレビューシステム２０に宛てて送信する（Ｓ１２２）。このように送信された編集リスト（ＥＤＬ：ＳＤレベル）は、制作支社の社内ネットワーク３０、ゲートウエイ３１、広域ネットワーク５０、ゲートウエイ４１及び営業支社の社内ネットワーク４０を介してプレビューシステム２０のＥＤＬ転送・登録部２４まで転送される。
【００６１】
プレビューシステム２０では、前述した第一の実施の形態の場合と同様の処理がなされる。即ち、ＥＤＬ転送・登録部２４にて受信された編集リスト（ＥＤＬ：ＳＤレベル）がＳＤビデオサーバ２１に登録され（Ｓ２１）、プレビュー端末２２の制御のもと、ＳＤビデオサーバ２１が指定された編集リスト（ＥＤＬ：ＳＤレベル）に従って既に登録されている標準解像度の映像素材データを用いて映像コンテンツ（プレビュー映像コンテンツ）を組み立て、その映像コンテンツを表示ユニット２１ａに表示させる（Ｓ２１〜Ｓ２５）。これにより、編集システム１０にて編集、制作された映像コンテンツが標準解像度にて試写（プレビュー）される。
【００６２】
前述した第一及び第二の実施の形態と同様に、営業支社にてプレビューされる映像コンテンツを見た顧客の意見、感想、指示が制作支社のコンテンツ制作者に通知され、コンテンツ制作者は、その意見、感想、指示に従って映像コンテンツの再編集をＨＤノンリニア編集機１６により行う。この再編集された映像コンテンツの編集リスト（ＥＤＬ：ＨＤレベル）が標準解像度の映像素材データに適合した編集リスト（ＥＤＬ：ＳＤレベル）に変換されてプレビューシステム２０に送られ、その編集リスト（ＥＤＬ：ＳＤレベル）に従って映像コンテンツの標準解像度でのプレビューがなされる。そして、制作支社と営業支社との間でこのようなやり取りが繰り返されることにより、顧客が満足する映像コンテンツの制作が効率的に行われる。
【００６３】
この第三の実施の形態に係るコンテンツ制作システムによれば、編集システム１０では高解像度の映像素材データを用いて映像コンテンツの編集、制作がなされる一方、プレビューシステム２０では、その映像コンテンツが標準解像度にてプレビューされることになる。このように制作された映像コンテンツがその解像度を低下させた状態でプレビューされるが、その状態であっても、映像コンテンツの全体的な構成を判断するのに支障はない。更に、営業支社には、高価なＨＤビデオサーバを設置しなくても、比較的安価なＳＤビデオサーバ２１を設置すればよく、営業支社における機材コストの低減を図ることができる。
【００６４】
なお、前述した例では、ＥＤＬ変換部１８が編集システム１０に設置されているが、このＥＤＬ変換部はプレビューシステム２０に設置することも可能である。この場合、プレビューシステム２０においてＥＤＬ転送・登録部２４の機能と共にＥＤＬ変換部の機能を単一のパーソナルコンピュータにて実現させるように構成することができる。そして、編集システム１０から転送される高解像度の映像素材データに適合した編集リスト（ＥＤＬ：ＨＤレベル）をＥＤＬ転送・登録部２４が受信した際に、その編集リスト（ＥＤＬ：ＨＤレベル）がＥＤＬ変換部により標準解像度の映像素材データにて適合する編集リスト（ＥＤＬ：ＳＤレベル）に変換される。そして、その変換後の編集リスト（ＥＤＬ：ＳＤレベル）がＥＤＬ変換・登録部２４によりＳＤビデオサーバに登録される（図８に示すＳ２１での処理に対応）。以後、図８に示すＳ２２〜Ｓ２５の手順に従って映像コンテンツの標準解像度でのプレビューがなされる。
【００６５】
また、前述した第三の実施の形態に係るコンテンツ制作システムでは、編集システム１０においてその編集に用いられる高解像度の映像素材データが標準解像度の映像素材データに変換され、その標準解像度の素材データがテープに記録されるようにしている。しかし、このような処理は、映像コンテンツの製作現場以外の部署（他のシステム）で行うことも可能である。この場合、編集システム１０で用いられる高解像度の映像素材データに対応した標準解像度の映像素材データが他の部署で作成され、その標準解像度の素材データを記録したテープが当該他の部署からプレビューシステム２０が設置された営業支社に送られる。
【００６６】
本発明の第四の実施の形態に係るコンテンツ制作システムは、図９に示すように構成される。この第四の実施の形態は、営業支社に設置されるプレビューシステム２０が編集リストを部分的に修正することのできるカット編集機を備える点で、前述した第一の実施の形態と相違する。
【００６７】
図９において、編集システム１０は、前述した第一の実施の形態と同様に、ＳＤビデオサーバ１１、ＳＤノンリニア編集機１２、ビデオレコーダ１３及びＥＤＬ転送・登録部１４を有している。また、プレビューシステム２０は、前述した第一の実施の形態と同様に、表示ユニット２１ａを備えたＳＤビデオサーバ２１、プレビュー端末２２、ビデオレコーダ２３及びＥＤＬ転送・登録部２４を有するほか、カット編集機２７を有している。
【００６８】
カット編集機２７は、ＳＤビデオサーバ２１に接続され、ＳＤビデオサーバ２１にて格納、管理される編集リスト（ＥＤＬ）を修正することができる。具体的には、図４に示す編集リストにおける各映像素材データのコマ数の変更（ＩＮ点、ＯＵＴ点及びその間のコマ数）や、新たな映像素材データを挿入する等、編集リストの部分的な修正を行うことができる。
【００６９】
このようなコンテンツ制作システムでは、図１０に示すような手順に従って処理がなされる。
【００７０】
プレビューシステム２０において、第一の実施の形態と同様に、編集システム１０から送られてくる編集リスト（ＥＤＬ）に従って映像コンテンツ（プレビュー映像コンテンツ）がＳＤビデオサーバ２１の表示ユニット２１ａに表示される。この表示ユニット２１ａに表示される（試写される）映像コンテンツを見た顧客が、例えば、映像コンテンツを構成する各映像素材の配分の修正など、その映像コンテンツを部分的に修正したい場合、オペレータはカット編集機２７を用いて対応する編集リスト（ＥＤＬ）の再編集を行う。このようにカット編集機２７により編集リスト（ＥＤＬ）の再編集がなれると、図１０に示すように、オペレータの操作に基づいてその再編集の結果得られた新たな編集リスト（ＥＤＬ）がカット編集機２７からＳＤビデオサーバ１１に登録される（Ｓ２６）。
【００７１】
この状態で、ＥＤＬ転送・登録部２４の機能を実現するパーソナルコンピュータに対して所定の操作がなされると、ＥＤＬ転送・登録部２４がＳＤビデオサーバ２１から前述したように再編集された編集リスト（ＥＤＬ）を取り出し、その編集リストを編集システム１０に宛てて送信する（Ｓ２７）。このようにプレビューシステム２０から送信された編集リスト（ＥＤＬ）は、営業支社の社内ネットワーク４０、ゲートウエイ４１、広域ネットワーク５０、ゲートウエイ３１及び制作支社の社内ネットワーク３０を介して編集システム１０のＥＤＬ転送・登録部１４まで転送される。
【００７２】
上記のようにして転送される編集リスト（ＥＤＬ）を受信した編集システム１０のＥＤＬ転送・登録部１４は、その編集リスト（ＥＤＬ）をＳＤビデオサーバ１１に登録する（Ｓ１４）。この状態で、コンテンツ制作者がＳＤノンリニア編集機１２に対して所定の操作を行うと、ＳＤノンリニア編集機１２は、ＳＤビデオサーバ１１内のコンテンツリストを参照して、前記編集リスト（ＥＤＬ）にて示される映像素材データを取り込む（Ｓ１５）。そして、コンテンツ制作者による操作に従ってＳＤノンリニア編集機１２は、前記取り込んだ映像素材データを用いて映像表示を行う（Ｓ１６）。
【００７３】
コンテンツ制作者は、その表示された映像を見て、顧客による修正意図を確認し、その修正意図にあった映像コンテンツが得られるように、ＳＤノンリニア編集機１１を操作して映像コンテンツの再編集を行う。そして、その再編集の結果となる編集リスト（ＥＤＬ）が前述したように（図５のＳ１１、Ｓ１２参照）処理され、編集システム１０からプレビューシステム２０に送信されて、再度、映像コンテンツのプレビューに供される。
【００７４】
このような第四の実施の形態に係るコンテンツ制作システムでは、プレビューシステム２０においてカット編集機２７により部分的に修正された編集リスト（ＥＤＬ）が編集システム１０に送られ、その編集システム１０のＳＤノンリニア編集機１２によりその修正された編集リスト（ＥＤＬ）に示される映像素材データに基づいた映像表示がなされる。コンテンツ制作者はその映像表示を見ることにより顧客の修正意図をよりリアルに把握できるようになる。その結果、顧客が要望する映像コンテンツの修正を効率的に行うことができるようになる。
【００７５】
更に、本発明の第五の実施の形態に係るコンテンツ制作システムは、図１１に示すように構成される。この第五の実施の形態は、映像に対する特殊効果を表す映像効果データを用いた映像コンテンツの編集、制作を行う点、及びその映像コンテンツで用いられた映像効果データを編集システム１０からプレビューシステム２０に転送する点で、前述した各実施の形態と相違する。
【００７６】
図１１において、編集システム１０は、前述した第四の実施の形態と同様に、ＳＤビデオサーバ１１、ＳＤノンリニア編集機１２、ビデオレコーダ１３及びＥＤＬ転送・登録部１４を有するほか、エフェクト転送・登録部１９を有する。また、プレビューシステム２０は、前述した第四の実施の形態と同様に、表示ユニット２１ａを備えたＳＤビデオサーバ２１、プレビュー端末２２、ビデオレコーダ２３、ＥＤＬ転送・登録部２４及びカット編集機２７を有するほか、エフェクト転送。登録部２８を有する。編集システム１０のエフェクト転送・登録部１９は、ＥＤＬ転送・登録部１４と共に単一のパーソナルコンピュータの機能として実現される。また、プレビューシステム２０のエフェクト転送・登録部２８の機能もまた、ＥＤＬ転送・登録部２４と共に単一のパーソナルコンピュータの機能として実現される。
【００７７】
編集システム１０のエフェクト転送・登録部１９は、所定の操作に基づいてＳＤビデオサーバ１１にて管理される映像効果を表す映像効果データ（ビデオクリップ）を取り出して、プレビューシステム２０に向けて送信する。また、プレビューシステム２０のエフェクト転送・登録部２８は、前記編集システム１０から転送される映像効果データを受信し、その受信した映像効果データを社内ネットワーク４０を介してＳＤビデオサーバ２１に登録する。
【００７８】
前記映像効果は、映像に対して施す特殊な効果であって、例えば、映像の変化のさせ方や、映像の表し方を通常のものとは異なるようにしたものである。そして、映像効果データは、そのような効果を映像に反映させるためのデータである。
【００７９】
このような構成となる本発明の第五の実施の形態に係るコンテンツ制作システムは、図１２に示す手順に従って処理がなされる。
【００８０】
編集システム１０において、ＳＤノンリニア編集機１２は、コンテンツ制作者による操作に基づいて、ＳＤビデオサーバ１１にて格納、管理される映像素材データ及びコンテンツ制作者により指定された映像効果データ（ビデオクリップ）を用いて映像コンテンツ（原映像コンテンツ）を編集し、その映像コンテンツを構成する編集リスト（ＥＤＬ）を作成する。そして、図１２において、このようにＳＤノンリニア編集機１２は、コンテンツ制作者による所定の操作に従って、その作成された編集結果としての編集リスト（ＥＤＬ）をＥＤＬ転送・登録部１４を介してＳＤビデオサーバ１１に登録する（Ｓ１１１）。また、ＳＤノンリニア編集機１２は、映像コンテンツの編集処理の過程で追加された映像効果データ（ビデオクリップ）をエフェクト転送・登録部１９を介してＳＤビデオサーバ１１に登録する（Ｓ１１２）。
【００８１】
この状態で、コンテンツ制作者がＥＤＬ転送・登録部１４及びエフェクト転送・登録部１９の各機能を有するパーソナルコンピュータに対して所定の操作を行うと、ＥＤＬ転送・登録部１４がＳＤビデオサーバ１１から指定された編集リスト（ＥＤＬ）を取り出すと共に（Ｓ１３１）、エフェクト転送・登録部１９が、ＳＤビデオサーバ１１から対応する映像効果データ（ビデオクリップ）を取り出す（Ｓ１３２）。そして、ＥＤＬ転送・登録部１４及びエフェクト転送・登録部１９により、ＳＤビデオサーバ１１から取り出された編集リスト（ＥＤＬ）及び映像効果データ（ビデオクリップ）がプレビューシステム２０に宛てて送信される（Ｓ１３３）。このように編集システム１０から送信された編集リスト（ＥＤＬ）及び映像効果データ（ビデオクリップ）は、制作支社の社内ネットワーク３０、ゲートウエイ３１、広域ネットワーク５０、ゲートウエイ４１及び営業支社の社内ネットワーク４０を介してプレビューシステム２０に転送される。
【００８２】
プレビューシステム２０では、ＥＤＬ転送・登録部２４が前記編集リスト（ＥＤＬ）を受信してＳＤビデオサーバ２１に登録すると共に、エフェクト転送・登録部２８が前記映像効果データ（ビデオクリップ）を受信してＳＤビデオサーバ２１に登録する（Ｓ２１１）。その状態で、営業社員がプレビュー端末２２に対して所定の操作を行うと、プレビュー端末２２がＳＤビデオサーバ内のコンテンツリストを参照して、目的の映像コンテンツに対応した編集リスト（ＥＤＬ）のテープロードを指定する（Ｓ２２）。これにより、ＳＤビデオサーバ２１は、指定された編集リストＥＤＬ）（ＥＤＬ）の再生準備を行う（Ｓ２３）。その後、営業社員による所定の操作に基づいてプレビュー端末２２がＳＤビデオサーバ２１に対して再生指示を行うと（Ｓ２４）、ＳＤビデオサーバ２１は、格納、管理する映像素材データ及び映像効果データ（ビデオクリップ）を用いて前記指定された編集リスト（ＥＤＬ）に従って映像コンテンツ（プレビュー映像コンテンツ）を組み立て、その映像コンテンツを表示ユニット２１ａに表示させる（Ｓ２５）。
【００８３】
このようなコンテンツ制作システムでは、制作支社から遠隔にある営業支社において特殊な映像効果を含む映像コンテンツを顧客に対してプレビューすることが可能となる。そして、その映像効果を表す映像効果データは、映像コンテンツ全体のデータ量に比べて少ないデータ量であり、編集システム１０からプレビューシステム２０への映像効果データの転送には多くの時間はかからない。従って、顧客が満足するような映効果を含む映像コンテンツの制作を効率的に行うことができるようになる。
【００８４】
【発明の効果】
以上、説明したように、請求項１乃至７記載の本発明によれば、情報量の少ない編集リストを編集システムからプレビューシステムに送り、プレビューシステムにおいて受信した編集リストに従って映像コンテンツを組み立てて試写（プレビュー）するようにしたので、映像コンテンツの制作現場と異なる遠隔の地にて当該映像コンテンツのプレビューが容易に行えるコンテンツ制作システムを提供することができるようになる。
【００８５】
また、請求項８乃至１３記載の本発明によれば、前記コンテンツ制作システムに適用することのできるプレビューシステムを提供することができる。
【図面の簡単な説明】
【図１】本発明の第一の実施の形態に係るコンテンツ制作システムの構成を示すブロック図
【図２】本発明の第二の実施の形態に係るコンテンツ制作システムの構成を示すブロック図
【図３】ノンリニア編集機での映像コンテンツの編集の状態の例を示す図
【図４】編集リスト（ＥＤＬ）の一例を示す図
【図５】第一の実施の形態及び第二の実施の形態に係るコンテンツ制作システムでの処理手順の一例を示すフローチャート
【図６】本発明の第三の実施の形態に係るコンテンツ制作システムの構成を示すブロック図
【図７】図６に示すコンテンツ制作システムでの処理手順の一例を示すフローチャート
【図８】図６に示すコンテンツ制作システムでの処理手順の他の一例を示すフローチャート
【図９】本発明の第四の実施の形態に係るコンテンツ制作システムの構成を示すブロック図
【図１０】図９に示すコンテンツ制作システムでの処理手順の一例を示すフローチャート
【図１１】本発明の第五の実施の形態に係るコンテンツ制作システムの構成を示すブロック図
【図１２】図１１に示すコンテンツ制作システムでの処理手順の一例を示すフローチャート
【符号の説明】
１０  編集システム
１１  ＳＤビデオサーバ
１２  ＳＤノンリニア編集機
１３  ビデオレコーダ
１４  ＥＤＬ転送・登録部
１５  ＨＤビデオサーバ
１６  ＨＤノンリニア編集機
１７  ダウンコンバータ
１８  ＥＤＬ変換部
１９  エフェクト転送・登録部
２０  プレビューシステム
２１  ＳＤビデオサーバ
２１ａ  表示ユニット
２２  プレビュー端末
２３  ビデオレコーダ
２４  ＥＤＬ転送・登録部
２５  ＨＤビデオサーバ
２５ａ  表示ユニット
２７  カット編集機
２８  エフェクト転送・登録部
３０、４０  社内ネットワーク
３１、４１  ゲートウエイ
５０  広域ネットワーク
【図１】
2004153763.tif 000003
【図２】
2004153763.tif 000004
【図３】
2004153763.tif 000005
【図４】
2004153763.tif 000006
【図５】
2004153763.tif 000007
【図６】
2004153763.tif 000008
【図７】
2004153763.tif 000009
【図８】
2004153763.tif 000010
【図９】
2004153763.tif 000011
【図１０】
2004153763.tif 000012
【図１１】
2004153763.tif 000013
【図１２】
2004153763.tif 000014